(57)【要約】      （修正有）【課題】コストを最小とし、保管および発送する上で最小の容積とし、また発送運賃も軽減されるホワイトニング照射器の照射カバーを提供する。【解決手段】照射カバー１は、紙もしくはプラスチックの板素材２の左右の端部のうち一端に掛止穴を、他端には差込部を形成し、板状素材２を円筒に巻いて掛止穴に差込部を差し込んで両端部を固定する。板素材の上端および下端を湾曲に形成して、板素材の上端７が広径に下端８が狭径となるようにして円筒に巻くことで、円筒の上下端が水平となるようにする。【選択図】図１
0003220055.tif 000002
【実用新案登録請求の範囲】
【請求項１】
紙もしくはプスチックの板素材を円筒状に巻き、この両端部を固定してなる円筒の照射カバーであり、
円筒の一端は照射器の照射口に被せ、
他端は使用者の口内もしくは口唇の外周に臨ませ、
照射光が外部に漏れることなく、口内の歯が照射されるようにしたことを特徴とするホワイトニング照射器の照射カバー。
【請求項２】
円筒の一端は広径として照射器の照射口に被せ、他端は狭径として使用者の口内もしくは口唇の外周に当接し、
照射光が外部に漏れることなく、口内の歯が照射されるようにしたことを特徴とする前記請求の範囲１に記載のホワイトニング照射器の照射カバー。
【請求項３】
紙もしくはプスチックの板素材の端部は、
凹部と凸部の喰い違い、もしくは掛止穴と差込部による掛止手段で固定したことを特徴とする前記請求の範囲１に記載のホワイトニング照射器の照射カバー。
【請求項４】
円筒の一端は外側に折り曲げて当接部を形成し、
この当接部を口唇の外周に臨ませ、
照射光が外部に漏れることなく、口内の歯が照射されるようにしたことを特徴とする前記請求の範囲１と請求範囲２に記載のホワイトニング照射器の照射カバー。
【考案の詳細な説明】
【技術分野】
【０００１】  この考案は、歯の表面の汚れを除去して白化するホワイトニング用の照射器に付属する照射カバーに関する。
【背景技術】
【０００２】  上記の歯のホワイトニングでは、歯の白化を目的とした触媒材料を塗布した後に、所定周波数領域の光線を照射して効果この効果を高めるものであり、一方、照射器の照射に於いては光線の出力が強大であるため使用者は遮光眼鏡を必要としていた。【０００３】  上記の遮光眼鏡を使用せずに照射を可能としたものに特許文献１があり、これは、照射器の照射口と人の口唇外周部を円筒の照射カバーで覆って、当該の目的を満たしたものである。
【先行技術文献】
【特許文献１】特開２０１６−２２１１９０
【考案の概要】
【考案が解決しようとする課題】
【０００４】  然しながら、特許文献１で示された円筒の照射カバーは衛生の上で使い捨てとなるものであり、これらのホワイトニング店の運営に於いては、カバー自体のコストが最重要課題となっていた。【０００５】  また、ホワイトニング店の多店舗の展開、特にフランチャイズ等を行なう場合は、上記の大量な照射カバーの保管と、これらの発送運賃が問題となっていた。即ち、保管に場所をとらず、また最小の容積で発送運賃が最小となるものが求められる。【０００６】  この考案は、照射カバーの上記課題の解決を目的としている。即ち、第１の目的は、照射カバーのコストを最小とすることにあり、第２の目的は、この照射カバーを保管および発送する上で最小の容積とし、また発送運賃も軽減されることを目的としている。
【課題を解決するための手段】
【０００７】  前記課題を解決するためにこの考案の照射カバーは、紙もしくはプスチックの板素材を円筒状に巻き、この両端部を固定してなる円筒の照射カバーであり、円筒の一端は照射器の照射口に被せ、他端は使用者の口内もしくは口唇の外周に臨ませ、照射光が外部に漏れることなく、口内の歯が照射されるようにした。【０００８】  また、円筒の一端は広径として照射器の照射口にかぶせ、他端は狭径として使用者の口内もしくは口唇の外周に臨ませ、照射光が外部に漏れることなく、口内の歯が照射されるようにした。【０００９】  また、紙もしくはプスチックの板素材の端部は、凹部と凸部の喰い違い、もしくは掛止穴と差込部による掛止手段で固定するようにした。【００１０】  また、円筒の一端は外側に折り曲げて当接部を形成し、この当接部を口唇の外周に臨ませ、照射光が外部に漏れることなく、口内の歯が照射されるようにした。
【考案の効果】
【００１１】  この考案の照射カバーは上記のように構成したものであるが、これらの円筒部品を作るにあたり、先ず、使い捨てコップの底を外したもの、及び射出成形によるプラスチック製のものが考えられる。前者は工業的な工程で、材料の抜き加工と円筒加工に次いで、カールの形成および糊付け工程が必要でありコスト高となる。また後者は金型が高価であり、これは最終的には照射カバーの生産数で除算して償却することとなり、これに実物の原価が上乗せされる結果、高コストとなる。【００１２】  この考案の照射カバーは、プラスチック等の板素材を積層して抜き型によって抜き加工するものであり、また、この抜き加工した板状のまま保管および配送され、さらにこの円筒の加工は到着店舗にて行なうことができる。【００１３】  上述の如く、この考案の照射カバーは素材としてのコストが最小であり、且つこの保管経費および配送費用も最小であり、また、円筒等の加工に特別の費用が計上されない等の効果を有する。【００１４】  また、この照射カバーは照射光を外部と遮断することで照射効率が向上する。他方、使用する照射器の照射口の大きさに合わせて円筒の一端部の口径を変えることになるが、口側の端部径は比較的大きな口を基準とした一定の口径とする。例えば、口径が照射口側が大で口側が小の場合、この円筒はテーパー状となり照射光をさらに効率よく歯に収束照射する効果がある。
【図面の簡単な説明】
【００１５】
【図１】照射カバーの使用状態図。
【図２】照射カバーの展開図。
【図３】照射カバーの円筒完成図。
【図４】照射カバーの他の実施例を示す展開図。
【図５】照射カバーの他の実施例を示す円筒完成図。
【図６】照射カバーの他の実施例を示す使用状態図。
【考案を実施するための形態】
【００１６】  この考案の照射カバーを以下図面に基づいて説明する。
【００１７】  この考案の照射カバー１は、図２で示したように、紙もしくはプラスチックの板素材２を複数枚積層して、抜き型で型抜きしたものを示している。この板素材が紙の場合は厚紙とするかもしくは片面にフルートを張り合わせた片ダンボールとしても良い。この展開状態で、左右の端部のうち一端には掛止穴３が他端には差込部４が形成され、上縁７には円弧状の当接部５およびこの当接部５を折り曲げ案内する折り曲げ線６が形成され、さらにこの上縁７および下縁８は、板素材２を円筒状に巻いた場合に当該円筒の上縁部及び下縁部が水平となるように湾曲状９および湾曲状１０に形成されている。
【００１８】  上記の照射カバー１は、図３で示したように円筒状に巻いて掛止穴３に差込部４を差し込んで円筒を形成する。上記に於いて掛止穴３および差込部４が傾斜し、また、この上縁７および下縁８が湾曲に形成されているので、当該の円筒は上縁７側の端が狭径に、下縁８側の他端が広径となり、さらに上縁７及び下縁８は水平となる。さらに折り曲げ線６の案内で当接部５を円筒の外側に折り曲げて使用に供する。
【００１９】  照射カバー１はこの使用にあたり、図１に示したように広径部１１を照射器Ａの照射口Ｂに被せ、他方、狭径部１２を口に臨ませて当接部５を口唇Ｃの外周に当接する。而して照射器Ａを点灯するとこの照射光は外部に漏れることなく歯Ｄに効率良く照射される。この際、口唇Ｃの周辺皮膚は、単なる切断面が接触すると痛みが生ずるが、当接部５によって保護される。
【００２０】  図４は、照射カバー１の他の実施例を示し、板素材２の左右の端部のうち一端には凹部１３が他端には凸部１４が形成され、図５で示したようにこれを円筒に巻き、凹部１３に凸部１４を食い違い状に差し込んで円筒形状の照射カバー１が形成される。
【００２１】  図６は、照射カバー１の狭径部１２を口内Ｅに臨ませて歯Ｄの照射を行なう実施例であるが、この場合、照射カバー１の端部が口唇Ｃを開いて歯Ｄを露出するので歯への照射効率が改善される。
【００２２】
【符号の説明】
【００２３】  Ａ・・・照射器
Ｂ・・・照射口
Ｃ・・・口唇
Ｄ・・・歯
Ｅ・・・口内
１・・・照射カバー
２・・・板素材
３・・・掛止穴
４・・・差込部
５・・・当接部
６・・・折り曲げ線
７・・・上縁
８・・・下縁
９・・・湾曲状
１０・・・湾曲状
１１・・・広径部
１２・・・狭径部
１３・・・凹部
１４・・・凸部
【図１】
0003220055.tif 000003
【図２】
0003220055.tif 000004
【図３】
0003220055.tif 000005
【図４】
0003220055.tif 000006
【図５】
0003220055.tif 000007
【図６】
0003220055.tif 000008
【手続補正書】
【提出日】平成30年11月20日(2018.11.20)
【手続補正１】
【補正対象書類名】実用新案登録請求の範囲
【補正対象項目名】全文
【補正方法】変更
【補正の内容】
【実用新案登録請求の範囲】
【請求項１】
紙もしくはプラスチックの板素材の左右の端部のうち一端に掛止穴を、他端には差込部を形成し、該板状素材を円筒に巻いて掛止穴に差込部を差し込んで両端部を固定したことを特徴とするホワイトニング照射器の照射カバー。
【請求項２】
板素材の上端および下端を湾曲に形成して、該板素材の上端が広径に下端が狭径となるようにして円筒に巻くことで、円筒の上下端が水平となるようにしたことを特徴とする前記請求項１に記載のホワイトニング照射器の照射カバー。
【請求項３】
紙もしくはプラスチックの板素材の左右の端部には凹部と凸部を形成し、円筒に巻いた後に、この凹部と凸部の喰い違いで左右の両端部を固定したことを特徴とする前記請求項１に記載のホワイトニング照射器の照射カバー。
【請求項４】
円筒の下端は外側に折り曲げて当接部を形成したことを特徴とする前記請求項１と請求項２に記載のホワイトニング照射器の照射カバー。